(57)【特許請求の範囲】
【請求項１】
‐基部（２ａ）を定める第１の端と、蓋（３）によって形成される第２の端と、の間に延びるハウジング（２、３）であって、内部容積（Ｖ１）を画定し、濾過されていない燃料のための入口（３ａ）および濾過された燃料のための出口（３ｂ）を有する、ハウジング（２、３）と、
‐前記内部容積（Ｖ１）に配置されるとともに、前記蓋（３）に係合する第１の軸方向端、第２の軸方向端、および、前記第１の軸方向端と前記第２の軸方向端との間で延びる実質的に環状のフィルタ媒体（５）を有するフィルタ要素（４）であって、前記フィルタ媒体（５）が内側空間（９）を定める内側面（５ｂ）を有する、フィルタ要素（４）と、‐燃料と混合するのに適した液体添加剤を収容する添加剤タンク（１３）と、
‐前記タンク（１３）から、内燃機関のための燃料循環回路（Ｃ１）内へ前記液体添加剤を分配するための添加剤放出装置（３２）であって、前記添加剤放出装置（３２）が、分配通路（ＤＣ）、および、前記分配通路を全体的または部分的に選択的に封止するように適合された少なくとも１つのアクチュエータ部品（６２）を備え、少なくとも前記アクチュエータ部品（６２）の開位置については、前記分配通路（ＤＣ）が、前記添加剤タンク（１３）と流体連通するとともに、前記分配通路（ＤＣ）より大きい断面を有する前記蓋（３）の燃料通路（５２）へと開口する、添加剤放出装置（３２）と、
を備え、
前記添加剤放出装置（３２）が前記内側空間（９）へ少なくとも部分的に延び、前記アクチュエータ部品（６２）が、前記内側空間（９）へ、好ましくは前記ハウジングの前記第２の端から所定の距離において、延び、
前記燃料通路（５２）へと開口する前記分配通路（ＤＣ）が、前記内側空間（９）中に延びることを特徴とする燃料フィルタ（１）。
【請求項２】
前記添加剤放出装置（３２）が、前記蓋（３）および前記基部（２ａ）から選択されるハウジング部に固定されるとともに、該ハウジング部に対して、前記フィルタ要素（４）の長手方向軸（Ａ）に沿って並進状態で取り付けられていることを特徴とする請求項１に記載のフィルタ。
【請求項３】
前記添加剤タンク（１３）への連結のために適合されている自由端（３５）を有するスリーブ（Ｆ）を備え、該スリーブ（Ｆ）が、
‐前記アクチュエータ部品（６２）を収容するための区画（６４）と、
‐前記区画（６４）から分離し、２つの軸方向に対向する開口（５０ａ、５０ｂ）間で延びる配管（５０）であって、前記２つの対向する開口のうちの一方（５０ａ）が、前記配管（５０）を前記蓋（３）の前記燃料通路（５２）と連通させている、配管（５０）と、を備えることを特徴とする請求項１または２に記載のフィルタ。
【請求項４】
前記添加剤放出装置（３２）が、前記分配通路（ＤＣ）の一部を定める添加剤搬送管を備え、前記搬送管（６６）が、前記アクチュエータ部品（６２）の添加剤通路内へ挿入されており、
少なくとも１つの環状ガスケット（Ｊ３、Ｊ４）が前記搬送管（６６）に取り付けられて、前記区画（６４）と、前記蓋（３）の前記燃料通路（５２）と、の間に封止を作り出し、
少なくとも１つの環状ガスケット（Ｊ５）が前記アクチュエータ部品（６２）に取り付けられて、前記区画（６４）と、前記分配通路（ＤＣ）と、の間に封止を作り出すことを特徴とする請求項３に記載のフィルタ。
【請求項５】
‐前記フィルタ要素（４）が、前記濾過されていない燃料の入口（３ａ）と連通している上流領域（Ｚ１）と、前記濾過された燃料の出口（３ｂ）と連通している下流領域（Ｚ２）とを定め、
‐前記下流領域（Ｚ２）が、前記内側空間（９）に、前記配管（５０）によって画定された前記スリーブ（Ｆ）の内部の第１のサブ領域（Ｚ２１）と、前記フィルタ媒体（５）の前記内側面（５ｂ）と前記スリーブ（Ｆ）の外側面との間で環状に延びる前記スリーブ（Ｆ）の外部の第２のサブ領域（Ｚ２２）と、を備えることを特徴とする請求項３または４に記載のフィルタ。
【請求項６】
前記濾過されていない燃料の入口（３ａ）と前記濾過された燃料の出口（３ｂ）とが、前記基部（２ａ）から所定の距離に配置され、前記分配通路（ＤＣ）が、前記蓋（３）の前記燃料通路（５２）内へ開口する液体添加剤分配ポート（３４）を画定し、前記液体添加剤分配ポート（３４）が、前記燃料の入口および出口のポート（３ａ、３ｂ）から離間していることを特徴とする請求項１から５のいずれか一項に記載のフィルタ。
【請求項７】
前記蓋（３）の前記燃料通路（５２）が、前記燃料の入口（３ａ）または出口（３ｂ）のポートと、前記添加剤分配ポート（３４）と、の間に差圧を発生させるためのベンチュリ管（２２）を備えることを特徴とする請求項６に記載のフィルタ。
【請求項８】
前記蓋（３）の前記燃料通路（５２）が、前記フィルタ要素（４）の前記第１の軸方向端を横切る少なくとも１つの配管（５０）を介して、前記内側空間（９）と連通しており、前記燃料通路（５２）が、
‐前記入口ポート（３ａ）および前記出口ポート（３ｂ）のうちの少なくとも１つを提供する前記蓋（３）の外側壁によって任意に覆われた上方面（５３ａ）と、
‐前記フィルタ要素（４）の前記第２の軸方向端（６）によって、環状の蓋／フィルタ要素封止領域を定める管（５３ｃ）が、前記フィルタ要素（４）の長手方向軸（Ａ）に平行な方向に突出する下面（５３ｂ）と、
を備える成形プラスチック部品（５３）によって画定されることを特徴とする請求項１から７のいずれか一項に記載のフィルタ。
【請求項９】
前記蓋（３）の前記燃料通路（５２）が、前記濾過された燃料の出口（３ｂ）と連通しており、
‐前記内側空間（９）と連通しており、前記フィルタ要素（４）の前記第１の軸方向端（６）の近くで開口する入口通路（５２ａ）と、
‐前記入口通路（５２ａ）と前記濾過された燃料の出口（３ｂ）との間に位置決めされた側方通路（５２ｂ）と、
を備え、
前記添加剤タンク（１３）が、添加剤室（Ｅ）の一部であるとともに、前記室（Ｅ）の外側筐体（１２）と共に、前記側方通路（５２ｂ）と流体密封に連通している周辺容積（Ｖ３）を定めることを特徴とする請求項１から８のいずれか一項に記載のフィルタ。
【請求項１０】
前記液体添加剤タンク（１３）が、前記添加剤タンクの内部容積（Ｖ２）と、前記外側筐体（１２）によって画定される前記周辺容積（Ｖ３）と、の間に少なくとも１つの移動可能かつ流体密封の壁（Ｐ）を有し、前記移動可能な壁（Ｐ）が、前記添加剤タンク（１３）における前記添加剤と、前記周辺容積（Ｖ３）における前記燃料と、の間に封止された分離を提供し、かつ同一の圧力を維持することに寄与することを特徴とする請求項９に記載のフィルタ。
【請求項１１】
前記蓋（３）の前記燃料通路（５２）と連通しており、かつ前記周辺容積（Ｖ３）と連通するように前記フィルタ要素（４）の前記第２の軸方向端（７）の近傍に延びる圧力平衡配管（５０）を、前記分配通路（ＤＣ）と平行に、前記内側空間（９）中に備えることを特徴とする請求項９または１０に記載のフィルタ。
【請求項１２】
前記圧力平衡配管（５０）が、前記側方通路（５２ｂ）を介して前記燃料通路（５２）内に開口し、スリーブ（Ｆ）と、前記外側筐体（１２）上に形成された、好ましくは環状リップ（２４ｄ）である封止面と、の間の流体密封な環状の接触によって、第２のサブ領域（Ｚ２２）から封止された態様で離間され、それによって、前記周辺容積（Ｖ３）における圧力が前記側方通路（５２ｂ）における圧力に相当することを特徴とする請求項５に従属するときの請求項１１に記載のフィルタ。
【請求項１３】
前記ハウジング（２、３）が、
‐前記基部（２ａ）を備え、前記添加剤タンク（１３）を収容するように適合された椀状部（２）と、
‐前記椀状部（２）を被う封止部（３０）、および、前記内側空間（９）中に延びる挿入部（３１）を備える蓋（３）であって、前記封止部（３０）が、濾過されていない燃料のための入口ポート（３ａ）および濾過された燃料のための出口ポート（３ｂ）を備える、前記蓋（３）と
を備え、
前記挿入部（３１）が、前記分配通路（ＤＣ）と、前記アクチュエータ部品（６２）と、前記封止部（３０）に対向して形成された連結端部（３５）と、を備え、前記連結端部（３５）が、流体密封な封止の態様での前記添加剤タンク（１３）への連結のために適合されていることを特徴とする請求項１から１２のいずれか一項に記載のフィルタ。
【請求項１４】
前記添加剤放出装置（３２）が、前記燃料循環回路（Ｃ１）上に前記蓋（３）とともに取り付けられるように意図されており、
前記挿入部（３１）が概して管状の形を有し、前記フィルタ要素（４）が前記挿入部（３１）の周りに取り外し可能に取り付けられていることを特徴とする請求項１３に記載のフィルタ。
【請求項１５】
前記フィルタ要素が、
‐前記第１の軸方向端および前記第２の軸方向端の各々におけるフランジ（６、７）と、‐前記フィルタ媒体（５）の前記内側面（５ｂ）を保護するための、好ましくは管状の、補強部材（８）と、
を備えることを特徴とする請求項１３または１４に記載のフィルタ。
【請求項１６】
前記アクチュエータ部品（６２）が、前記添加剤放出装置（３２）によって受信される電気的命令に従って動く封止部材を備えることを特徴とする請求項１から１５のいずれか一項に記載のフィルタ。
【請求項１７】
分配ポート（３４）の上流で前記添加剤を加熱するように構成された少なくとも１つの加熱装置を備えることを特徴とする請求項１から１６のいずれか一項に記載の燃料フィルタ。
【発明の詳細な説明】
【技術分野】
【０００１】
本発明は、車両の燃料フィルタ搭載内燃機関に関し、より詳細には、燃料のための液体添加剤を放出することを許容するディーゼル燃料フィルタに関する。
【背景技術】
【０００２】
上記の形式の燃料フィルタは、典型的には、燃料入口と燃料出口とを備え、ディーゼルエンジンのための燃料供給回路において、不純物を除去するためにディーゼル燃料を濾過することを可能にする。添加剤タンクがフィルタハウジングに収容され、特には、エンジンにおける燃料分布、エンジン性能、運転中のエンジン安定性といった燃料品質を改善するための液体添加剤、および／または、微粒子フィルタの再生を容易にするための液体添加剤を収容する。この形式の液体添加剤は、典型的には、エンジン耐久性を向上するのに有用である。特許文献１には、このようなフィルタ形式が記載されており、液体添加剤の非限定的な例が、この文献の記載の最後に提供されている。
【０００３】
添加剤分配装置のコストを低減するために、非常に正確な計量ポンプを必要とすることなく、または、関連する計算装置を管理することなく、液体添加剤を分配できることは有利である。
【０００４】
特許文献１に記載されている分配モードの一つの利点は、特定の条件下で、燃料における添加剤の過剰な濃度を防止するために、添加剤の供給を制限すること、または、停止すらすることで、添加剤タンクの有用期間を延ばす能力である。これは、必要で十分な量と、添加剤タンクの有用期間を縮減し得る、および／または、微粒子フィルタを目詰まりさせるなど、他の車両要素に悪影響を有し得る過剰な濃度と、の間の妥協点を見つけ出すために、燃料における添加剤の濃度を最適化もする。この目的のために、液体添加剤が差圧の効果によって放出され、添加剤は、内部の可撓性バッグ、または、流体密封の移動可能壁を備えた筐体に配置され、添加剤室の外側筐体に配置される燃料と同じ圧力になる。典型的には、差圧は、燃料によって発揮される正圧、または、添加剤液体のための分配ポートの近くの負圧から生じ得る。
【０００５】
しかしながら、特には、フィルタ要素および／または添加剤室を変更でき、外側から内向き（上流側により大きなフィルタ媒体表面積のある中心に向かう方向）の濾過の利点による便益を享受できることを望む場合、フィルタ要素と、添加剤室と、添加剤の放出を許容するアクチュエータ装置とを組み合わせる組立体は、組み立てるのが比較的複雑である。また、添加剤の分配を効率的なやり方で防止し（典型的には、エンジンが停止されるとき）、添加剤タンクの自律性および／または容量を最適化することを望むとき、フィルタのコンパクトな設計を達成することは困難であると思われる。
【先行技術文献】
【特許文献】
【０００６】
【特許文献１】国際公開第２０１２／１０４５５２号パンフレット
【特許文献２】欧州特許第６７１２０５号明細書
【特許文献３】国際公開第９７／１９０２２号パンフレット
【特許文献４】国際公開第０１／１０５４５号パンフレット
【特許文献５】国際公開第０３／０５３５６０号パンフレット
【特許文献６】国際公開第２０１２／０８４８３８号パンフレット
【特許文献７】国際公開第２０１２／０８４８５１号パンフレット
【特許文献８】国際公開第２０１０／１５００４０号パンフレット
【特許文献９】国際公開第２０１２／０８４９０６号パンフレット
【特許文献１０】国際公開第２０１２／０９７９３７号パンフレット
【非特許文献】
【０００７】
【非特許文献１】Ｓｕｐｐｌｅｍｅｎｔ  ｔｏ  ｔｈｅ  Ｂｕｌｌｅｔｉｎ  ｄｅ  ｌａ  Ｓｏｃｉｅｔｅ  Ｃｈｉｍｉｑｕｅ  ｄｅ  Ｆｒａｎｃｅ、Ｎｏ．１（１９６６年１月）
【発明の概要】
【発明が解決しようとする課題】
【０００８】
本発明は、動力車両の内燃機関の混み合った状況における設置により適している添加剤放出装置を備えた燃料フィルタを提供することを目的とする。
【課題を解決するための手段】
【０００９】
この目的のために、本発明は、
−  基部を定める第１の端と、蓋によって形成される第２の端との間に延び、内部容積を画定し、濾過されていない燃料のための入口および濾過された燃料のための出口を有するハウジングと、
−  内部容積に配置されると共に、蓋に対して係合される第１の軸方向端、第２の軸方向端、および、第１の軸方向端と第２の軸方向端との間で延び、内側空間を定める内側面を有する実質的に環状のフィルタ媒体を有するフィルタ要素と、
−  燃料と混合するのに適した液体添加剤を収容する添加剤タンクと、
−  分配通路、および、前記分配通路を全体的または部分的に選択して封止するように適合された少なくとも１つのアクチュエータ部品を備える、前記タンクから、内燃機関のための燃料循環回路へと液体添加剤を分配するための添加剤放出装置であって、少なくともアクチュエータ部品の開位置について、分配通路が、添加剤タンクと流体連通しており、分配通路より大きい断面を有する蓋の燃料通路へと開口する、添加剤放出装置と
を備え、
添加剤放出装置が内側空間へと少なくとも部分的に延び、アクチュエータ部品が、好ましくはハウジングの第２の端からある距離において、この内側空間へと延びる、燃料フィルタを提案する。
【００１０】
これらの構成があれば、最適な使用が内側空間から行われ、添加剤室は、少なくともフィルタ要素と同じくらい幅広となり得る。添加剤分配通路は、典型的には流体密封であり、内側空間におけるアクチュエータ部品を横切ることができ、同じ大まかな方向（アクチュエータ部品の長い方の配向）に沿って延びることができる。また、添加剤タンクへの連結はフィルタ要素の内側領域に確立されてもよく、これは、使用者による添加剤タンク出口への不用意な接触の危険性を抑制する。
【００１１】
アクチュエータ部品は、典型的には電気的に動力供給され、有利には燃料の入口および出口よりも中心の位置で（フィルタ要素の長手方向軸のより近くで）、ハウジングの第２の端に連結されてもよい。蓋は、例えば、添加剤分配通路によって横切られる中心領域（および、このような場合、電気接続が見い出される場所）と、濾過された燃料の通路のための中間領域と、濾過されていない燃料の通路のための中心から外れた領域との間といった、複数の循環の領域の間での流体密封な分離のための環状部材を備えてもよい。
【００１２】
一特徴によれば、添加剤放出装置は、蓋および基部から選択されるハウジング部に固定され、このハウジング部に対して、フィルタ要素の長手方向軸に沿っての並進において固定される。したがって、少なくともフィルタ要素は、添加剤放出装置を備えるハウジング部からフィルタ要素を取り外すことで、容易に変えることができる。
【００１３】
一特徴によれば、燃料ポートが前記内側空間と連通している。したがって、濾過された燃料を添加剤室の内部に求心的に送ることが可能である。我々は、上流側におけるフィルタ媒体表面積を最大化する求心的濾過の利点を、添加剤タンクの変形可能な壁と接触している不純物がないことと組み合わせている（壁が不純物の堆積により堅くなる危険性を排除する）。また、添加物がベンチュリ効果によって分配されるとき、ベンチュリ管における差圧は、（ディーゼル燃料のフィルタへの流れに従って）時間と共に一定であるように許容され、これは、時間と共に（フィルタ要素が充填されてくるにつれて）増大するフィルタ要素における水頭損失のため、添加剤室内部の燃料が濾過されていない場合には、そのようにならない。このゆっくりとした変化を回避し、添加剤タンクの体部と外部との間の差圧で起こり得る変動（燃料流れに対して一定でない差圧）に曝されないようにすることは、好ましいとされる。
【００１４】
本発明の好ましいとされる実施形態では、以下の構成のうちの１つまたは複数がおそらく用いられ得る。
−  フィルタは、添加剤タンクへの連結に向けて適合されている自由端を有するスリーブを備え、このスリーブは、アクチュエータ部品を収容するための区画と、区画から離れており、２つの軸方向で相対する開口の間で延びる配管であって、２つの相対する開口のうちの一方は、この配管を燃料通路と連通させている、配管とを備える。
−  添加剤放出装置は、分配通路の一部を定める添加剤搬送管を備え、搬送管は、アクチュエータ部品の添加剤通路へと挿入され、少なくとも１つの環状ガスケットが、区画と燃料通路との間に封止を作り出すために搬送管に搭載される。
−  少なくとも１つの環状ガスケットが、区画と分配通路との間に封止を作り出すために、アクチュエータ部品に搭載される。
−  フィルタ要素は、濾過されていない燃料の入口と連通している上流領域と、濾過された燃料の出口と連通している下流領域とを定める。
−  下流領域は、内側空間において、前記配管によって定められるスリーブの内部の第１のサブ領域と、フィルタ媒体の内側面とスリーブの外側面との間で環状に延びるスリーブの外部の第２のサブ領域とを備える。
−  濾過されていない燃料の入口と濾過された燃料の出口とは、基部からある距離において配置され、分配通路は、燃料通路へと開口する液体添加剤分配ポートを定め、液体添加剤分配ポートは、燃料の入口および出口のポートから離れている。
−  蓋の燃料通路は、燃料の入口または出口のポートと添加剤分配ポートとの間に差圧を発生させるために、ベンチュリ管を備える。
−  燃料通路は、フィルタ要素の第１の軸方向端を横切る少なくとも１つの配管を介して、内側空間と連通しており、燃料通路は、
−  入口ポートおよび出口ポートのうちの少なくとも１つを提供する蓋の外側壁によって任意に覆われる上方面と、
−  フィルタ要素の第２の軸方向端で、環状の蓋／フィルタ要素封止領域を定める管が、フィルタ要素の長手方向軸と平行な方向で突出する下面と
を備える成形プラスチック部品によって画定される。
−  燃料通路は、濾過された燃料の出口と連通しており、
−  内側空間と連通しており、フィルタ要素の第１の軸方向端の近くで開口する入口通路と、
−  入口通路と濾過された燃料の出口との間に位置決めされる側方通路と
を備える。
−  添加剤タンクは、添加剤室の一部であり、この室の外側筐体と共に、側方通路と流体密封に連通している周辺容積を定める。
−  液体添加剤タンクは、加剤タンクの内部容積と、外側筐体によって定められる周辺容積との間に、少なくとも１つの移動可能で流体密封の壁を有し、移動可能な壁は、封止された分離を提供し、添加剤タンクにおける添加剤と周辺容積における燃料との間に同一の圧力を維持することに寄与する。
−  連通配管が、蓋の燃料通路と連通しており、フィルタ要素の第２の軸方向端の近傍に延びることで周辺容積と連通するように、内側空間において、分配通路と平行に延びる（それによって、圧力平衡配管が、フィルタの外部寸法を大きくすることなく得られる）。
−  ベンチュリ管が、第１のサブ領域の配管と分配ポートとの間に、別の言い方をすれば、周辺容積の圧力と添加剤タンクの内部容積の圧力との間に、差圧を発生させることができる。
−  圧力平衡配管は、側方通路を介して燃料通路へと開口し、スリーブと、前記外側筐体に形成される封止面（好ましくは、環状リップ）との間の流体密封な環状の接触によって、第２のサブ領域から封止して離され、それによって、周辺容積における圧力が側方通路における圧力に対応する。
−  ハウジングは、蓋と、添加剤タンクを収容するための椀状部（基部を備える）とを備え、蓋は、椀状部を被う封止部と、内側空間へと延びる挿入部とを備え、封止部は、入口ポートと出口ポートとを備える。
−  挿入部は、分配通路と、アクチュエータ部品と、流体密封な封止での添加剤タンクへの連結のための（封止部の反対に形成される）連結端部とを備える。
−  添加剤放出装置は、燃料循環回路において、例えば永久的に、蓋が搭載されるように意図される。
−  挿入部は、例えばスリーブによって定められる、概して管状の形を有し、フィルタ要素は挿入部の周りに取り外し可能に搭載される。
−  フィルタ要素は、第１および第２の軸方向端の各々においてフランジを備える。
−  好ましくは管状の、補強部材が、フィルタ媒体の内側面を保護するために提供される。
−  アクチュエータ部品は、添加剤放出装置によって受信される電気命令に従って移動される封止部材を備える。
−  加熱装置が、分配ポートの上流で、好ましくは連結端部と分配通路の入口との間で、添加剤を加熱する。
【００１５】
本発明の他の特徴および利点は、添付の図面を参照しつつ、非限定的な例として提供されたいくつかの実施形態の以下の説明から、明らかとなる。
【図面の簡単な説明】
【００１６】
【図１】本発明による、フィルタカートリッジを備えた燃料フィルタの断面図である。
【図２】図１のフィルタの分解斜視図である。
【図３】図１のフィルタで使用可能な、添加剤室を備えたフィルタカートリッジの長手方向の断面図である。
【図４】図３のカートリッジを示す分解斜視図である。
【図５】図１のフィルタで使用可能な変形のフィルタカートリッジの詳細図である。
【図６】添加剤室の取り付け、および、カートリッジの変形の詳細図である。
【図７】内燃機関のための燃料循環回路における、本発明による添加剤分配機能を有するフィルタの１つのあり得る構成の概略図である。
【図８】取り付け端と近位フランジとの間の境界面における、フィルタカートリッジの概略的な断面図である。
【図９】電磁弁を備えた添加剤放出装置の例示の組み立ての分解斜視図である。
【図１０】図９の添加剤放出装置の長手方向断面図である。
【図１１Ａ】本発明の実施形態において使用可能なハウジング部を示す図である。
【図１１Ｂ】本発明の実施形態において使用可能なハウジング部を示す図である。
【発明を実施するための形態】
【００１７】
様々な図において、同一の符号は、同一または同様の要素を指示している。
【００１８】
図１および図２は、添加剤室Ｅを支持する燃料フィルタ（ディーゼルまたは同様の燃料用）の実施形態を示している。このフィルタ１は、上方壁と下方壁とを有するハウジング（２、３）を備えている。図の非限定的な例では、ハウジング（２、３）の下方壁は、金属またはプラスチックの椀状部２によって形成されている。椀状部２は、側壁２ｂが上方へと延び出す基部２ａを有し、前記側壁は、ここでは、実質的に円筒形であり、ハウジング（２、３）の上方壁を形成する蓋３に直接的に固定される上方縁を有する。この蓋３は、椀状部２の環状の縁（ここでは円形である）に直接的に取り付けられる縁を有している。より大まかには、蓋３が椀状部２に流体密封の手法で連結されることは、理解される。図１の特定の非限定的な構成では、椀状部２と蓋３との間に直接的な封止はないが、封止は、フランジ６上にあるガスケットＪ０によって提供される。したがって、ガスケットＪ０は、ここではフィルタ要素４に連結されるため、交換の間に変えられることが確保されている。他の構成では、ガスケットは、第３の部品を伴うことなく、椀状部２と蓋３との間に直接的に搭載されてもよい。
【００１９】
蓋３の縁は、例えば、穴２０を通ってナット２０ａと係合する複数のネジＶを用いて、または、既知の手法で周囲のネジ山を用いて、椀状部２の縁にネジ留めされ得る。
【００２０】
図２に示しているように、蓋３は、フィルタ１の内部の燃料の循環および濾過を可能とするために、濾過される燃料のための入口ポート３ａと、濾過された燃料のための出口ポート３ｂとを有する。ハウジング（２、３）は、燃焼機関を備えた車両の燃料供給システムの配管と相互に置き換え可能に連結可能である。この例では、蓋３は、「Ｔ字」断面を有するフィルタ頭部を形成しており、
−  椀状部２の上方を横切って延び、濾過されていない燃料のための入口ポート３ａ、および、濾過された燃料のための出口ポート３ｂを組み込み得る封止部３０と、
−  封止部３０に連結する下方端３１ａと上方端３１ｂとの間で長手方向に延びる挿入部３１と
を備えている。
【００２１】
椀状部２と蓋３とによって形成されているハウジングは、ここでは添加剤室Ｅの形態での添加剤モジュールと、長手方向軸Ａに沿って延びる環状形のフィルタ要素４とが配置されている内部容積Ｖ１を定めている。長手方向軸Ａは、好ましくは、フィルタ要素４の対称の中心軸であり、添加剤室Ｅの中心軸におそらく対応もしている。ここで、フィルタ要素４は、フィルタ媒体５と、添加剤室Ｅからある距離にあり、遠位フランジ６として以下で称される第１のフランジと、添加剤室Ｅに近く、近位フランジ７として以下で称される第２のフランジとを備えている。フィルタ媒体５は、好ましくは、壁２ｂが例えば円筒形であるとき、椀状部２の対称の軸とおそらく一致し得る長手方向軸Ａの周りに延びる。フィルタ要素４は、任意で、２つのフランジ６、７の間に補強部材８または内部連結構造を備えてもよい。補強部材８は、ここでは、フィルタ要素４を強化し、燃料を導くことができる実質的に管状の形を有する。補強部材８は、ここでは、遠位フランジ６（図１における上方フランジ）と近位フランジ７（図１における下方フランジ）との間で延びる。
【００２２】
当然ながら、例えば、近位フランジ７だけを備える、または、あらゆる軸方向のフランジのないといった、フィルタ要素４の他の実施形態が用いられてもよく、この場合における補強部材８は、フィルタ媒体５の内側面５ｂとの接触によって所定位置におそらく保持される。補強部材８のない構成を有することも可能である。
【００２３】
示した非限定的な例では、フィルタ要素４と添加剤室Ｅまたは類似の添加剤モジュールとは、重ねられており、図２および図３においてはっきりと見ることができる組み合わされたフィルタカートリッジＣＣを定めるために、互いと固定されている。このカートリッジＣＣは、例えば、図２に示すように、バネ１１がおそらくは設けられる添加剤室Ｅの基部から、カートリッジ端を形成するガスケット（蓋３と椀状部２との間に封止を形成する）がおそらくは設けられる遠位フランジ６まで、長手方向に延びている。組み合わされたフィルタカートリッジＣＣでは、内側空間９が、フィルタ媒体５の内側面５ｂによって定められている。添加剤室Ｅは、内側空間９に部分的に挿入され得る取り付け端１０を有し、フィルタ要素４との近位フランジ７および／または補強部材８に、添加剤室Ｅを取り付けることができる。取り付け端１０は、追加的に、近位フランジ７の管状部分に対して、例えば径方向の環状の接触といった、封止する接触であってもよい。フィルタ要素４から分離不可能な添加剤モジュールを提供する選択肢では、近位フランジ７は、取り付け端１０に固定される、または、取り付け端１０へと組み込まれる。
【００２４】
代替で、取り付け端１０は、内側空間９の下方で延び、近位フランジ７の径方向部７ｃ（フィルタ媒体５の下方軸方向端５ｃを被う）に流体密封の手法で接触し得る。
【００２５】
以下の説明は、取り付け端１０の反対側で閉じられている外側筐体１２を備える種類の添加剤室Ｅの一部を形成する添加剤タンク１３に言及しているが、タンク１３の他の構成が添加剤モジュールで使用されてもよいことは理解される。例えば、タンク１３の壁Ｐが、ハウジング（２、３）の基部２ａの近くに位置付けられた燃料と直接的に接触していてもよく、外側筐体１２は、タンク１３を燃料圧力にするために、透かし細工または貫通孔が設けられた剛体の構造によって置き換えられてもよい。
【００２６】
組み合わされたフィルタカートリッジＣＣは、ハウジング（２、３）へと一体的に挿入され得るユニットに対応する。カートリッジＣＣは、椀状部２の基部２ａに対して当接するように適合された端であって、添加剤室Ｅの外側筐体１２に連結されたバネ１１、または、基部２ａと一体的なバネ１１を任意で有する端を備えている。カートリッジＣＣは、蓋３に取り外し可能に搭載される。封止された連結が、遠位フランジ６の突出部分または関連するガスケットと、封止部３０の内側面側に形成された環状の封止面との間に設けられてもよい。代替で、封止された連結は、挿入部３１の周囲の環状の表面に対するフィルタ要素４の封止リップの接触によって実現されてもよい。より大まかには、環状の封止接触は、蓋３およびフィルタ要素４が、入口ポート３ａと連通している濾過の上流における領域Ｚ１と、出口ポート３ｂと連通している濾過の下流における領域Ｚ２とを（カートリッジＣＣの組み立てられた構成において）定めるように得られる。
【００２７】
カートリッジＣＣの取り外し可能な性質のため、椀状部２および蓋３は再使用可能な部品である。これらの部品の一方または他方は、取り付け境界面によって車両に連結され得る。図２の非限定的な例では、椀状部２が、このような取り付けを可能にする少なくとも１つの側方延在部２ｃを備えているのが見てとれる。人間工学的な理由のため、蓋３の封止部３０は比較的平らで、添加剤の分配を制御するためのアクチュエータ部品が一切なくてもよい。また、添加剤タンク１３の少なくとも一部が内側空間９に収められてもよい。
【００２８】
図１に示しているように、蓋３は、添加剤放出装置３２を一体化している。この液体添加剤放出装置３２は、挿入部３１の一部であり、長手方向軸Ａと平行に、
−  添加剤室Ｅの添加剤タンク１３の内部と連通している添加剤入口Ｅ１を備える第１の軸方向端３２ａと、
−  燃料出口３ｂへと開口している、液体添加剤のための分配ポート３４が設けられた第２の軸方向端３２ｂと
の間で延びている。
【００２９】
添加剤を燃料循環回路Ｃ１へと放出するための分配ポート３４を備える添加剤放出装置３２は、液体添加剤を添加剤入口Ｅ１から分配ポート３４へと循環するための分配通路ＤＣを備えることは理解される。添加剤入口Ｅ１は、第１の軸方向端３２ａの一部を形成する連結端部３５によって定められ得る。連結端部３５は、例えば、オス連結であり、図５に示しているような管状の形を有する。
【００３０】
図１１Ａおよび図１１Ｂの実施形態では、カートリッジＣＣは底から分解でき、添加剤放出装置３２は、交換の間、動力車両に対して固定されたままとなる。この例では、椀状部２は、排水栓ＢＰを有し得る取り外し可能部材２’によって交換される。取り外し可能部材２’のネジ山１００は、筐体部材３’のネジ山１０１と係合し、環状ガスケット１０２は、フィルタハウジングの流体密封な取り付けを確実にする。この種類のフィルタハウジングでは、図３〜図４に示したカートリッジＣＣ、または、図６に示したカートリッジＣＣが、同一の手法で搭載でき、図１〜図２に示したハウジングと同じように機能できることは理解される。
【００３１】
図７を参照して、ここでフィルタ１の例示の一体化を手短に説明する。
【００３２】
図７は、燃料フィルタ１を備えた内燃機関のための燃料循環回路Ｃ１を概略的に表している。従来、燃料循環回路Ｃ１は、燃料タンク１５とコモンレール１６との間に位置付けられており、タンク１５とコモンレール１６との間の燃料の流れを確保している。循環回路は、ここでは、燃料を濾過するように意図されているフィルタ１と、高圧ポンプ１７とを備えている。高圧ポンプ１７およびコモンレール１６は燃料噴射システムを構成している。「供給配管」と呼ばれる第１の配管１８ａは、タンク１５からコモンレール１６への燃料の流れを確保し、「戻り配管」と呼ばれる第２の配管１８ｂは、噴射システムからタンク１５への燃料の流れを確保する。そのため、燃料はタンク１５へと汲み出され、それからフィルタ１で濾過され、ポンプ１７を介してコモンレール１６へと圧力をかけて供給され、それから、一部はエンジンの噴射器１９へと方向付けられ、別の一部は戻り配管１８ｂを介してタンク１５へと戻される。燃料の一部は、高圧ポンプ１７から戻り配管１８ｂへと送られてもよい。
【００３３】
添加剤放出装置３２に連結された添加剤室Ｅを備えたフィルタ１におけるカートリッジＣＣの構成のため、燃料循環回路Ｃ１は、液体添加剤をコモンレール１６へと流すことにもなる。好ましいとされる実施形態では、フィルタ１は、図７に示しているように、供給配管１８ａへと至る分配ポート３４を有している。しかしながら、分配ポート３４が、例えば液体添加剤を戻り配管１８ｂへと分配するために、異なる配管へと開口することも可能である。
【００３４】
ここで、フィルタ１における燃料の例示の流れを図１および図２を参照して説明する。
【００３５】
典型的には燃料タンク１５から来る濾過されていない燃料が、入口ポート３ａによってハウジング（２、３）へと導入され、カートリッジＣＣの周りに形成され、具体的にはフィルタ媒体５の外側面５ａによって画定されている上流領域Ｚ１の環状空間２１内の内部容積Ｖ１へと送られる。例えばディーゼル燃料といった濾過される燃料はフィルタ媒体５を通過でき、フィルタ媒体５は、固形物や、おそらくは水（例えば、疎水性布が加えられる場合、または、補強部材８が、オーバーモールドされた疎水性布を備え得た水分離管を備える場合）を含む不純物を保留する。フィルタ媒体５は、それ自体知られている形式のものであってよく、ここではさらに説明されない。
【００３６】
フィルタ媒体５を通過した後、濾過された燃料は、例えば補強部材８の螺旋状の起伏によって導かれつつ下流に向かってといった、内側空間９内の内側面５ａに沿って流れることができる。開口（ここでは底開口８０）を介して補強部材８を通過した後、濾過された燃料は、出口ポート３ｂに到達するために、挿入部３１の周りに沿って（ここでは上向きに）流れることができる。図１の実施形態では、ベンチュリ管２２が燃料入口ポート３ａと燃料出口ポート３ｂとの間に位置付けられており、出口ポート３ｂの上流に局所的な負圧を作り出すのが見てとれる。濾過された燃料は、好ましくは長手方向軸Ａに対して垂直である横断方向に位置するように設計されるベンチュリ管２２を通過できる。濾過された燃料は、出口３ｂに到達するとき、ベンチュリ管２２において分配される添加物を有利に含むことができる。
【００３７】
ベンチュリ管２２は、ここではフィルタ要素４の組み立てられた状態においてフランジ６に隣接する燃料通路５２において、蓋の封止部３０に配置されており、分配ポート３４は、ベンチュリ管２２の狭窄領域へと開口している。したがって、ベンチュリ管は、燃料入口ポート３ａおよび燃料出口ポート３ｂのうちの一方と分配ポート３４との間に差圧を発生する手段を形成している。図示した例では、分配ポート３４が出口ポート３ｂの近くであるため、液体添加剤は、濾過された燃料へと混合され、下流領域Ｚ２の一部において、椀状部２の外側全体に位置付けられる。
【００３８】
図１および図１０を参照すると、下流領域Ｚ２について、内側空間９において、連通配管５０によって定められているスリーブＦの内部の第１のサブ領域Ｚ２１と、フィルタ媒体５の内側面５ｂとスリーブＦの外側面との間で環状に延びるスリーブＦの外部の第２のサブ領域Ｚ２２とに区別することができる。実際には、濾過された燃料の流れは、第２のサブ領域Ｚ２２において必然的に起こる（第１のサブ領域Ｚ２１が燃料ですでに満たされているとき）。
【００３９】
ここで、フィルタ要素４と蓋３の挿入部３１へと連結されている添加剤室Ｅの例示の構成を、図１〜図６を参照して説明する。
【００４０】
ここで、添加剤室Ｅは、椀状部２とは別個である容器２５への環状部２４の流体密封な連結によって得ることができる外側筐体１２を有している。容器２５および環状部２４は剛体でもよい。外側筐体１２を備えたこの構成は、少なくとも部分的に可撓性のタンク１３の完全性および流体密封性を保護することと、例えば、環状部２４に形成された案内および／または取り付け面２４ａの使用によって、フィルタ要素４との連結および組み立てを容易にすることとを可能にする。これは、添加剤タンク１３の周りの燃料が清浄であることを確実にもする。
【００４１】
この外側筐体１２は、外部連結部２８によって定められている好ましくは１つだけの液体添加剤出口管１２ａを有している。外側筐体は、タンク１３の周りで、燃料が添加剤室Ｅに入るのを許容するために、少なくとも１つの燃料ポートＯ１も備えている。図１および図３に示しているように、タンク１３は、ここでは椀状部を形成している可撓性で流体密封な壁Ｐと、好ましくは中心部において剛体である上方壁ＰＳとから成る。タンク１３は外側筐体１２の内側で延び、壁Ｐは、タンク１３の内部容積Ｖ２と外側筐体１２によって定められている周辺容積Ｖ３との間で移動可能で流体密封である。この壁Ｐが、流体密封な分離を提供し、タンク１３における添加剤と添加剤室Ｅにおける燃料との間で等しい圧力を維持もすることは、理解される。
【００４２】
図３の例では、上方壁ＰＳは、外部連結部２８を備え、長手方向軸Ａを横断して延びている。上方壁ＰＳの外側縁は、好ましくは変形不可能であり、外側筐体１２に対して固定され、壁Ｐの上方部についての大きな直径の環状形を維持することを可能にする。したがってタンク１３は、変形可能であり、可撓性の小袋に相当するものであり、壁Ｐにおける上向きの推進力によって、死容積を作り出すことなく空にされ得る。壁Ｐの材料は、非限定的な例によれば、おそらくはエラストマ（例えば、フルオロエラストマ）の変形可能な薄膜であり得る。薄膜の取り付けは、例えば薄膜の縁を流体密封のシールで捕まえることによる、それ自体知られている形式のものである。容器２５の剛体の底２５ａは、図３に示し得るように、タンク１３が充填された状態にあるとき、タンク１３の可撓性の底と任意で接触していてもよい。図６の例では、壁Ｐを形成する薄膜は、エラストマでない可撓性のプラスチックによって形成されることに留意されたい。したがって、壁Ｐはプラスチック膜から成り得る（９００μｍ未満の厚さであり得る）。
【００４３】
好ましくは、外部連結部２８は、出口管１２ａを定めるために概して管状の形で延びており、外部連結部２８が、添加剤放出装置３２の軸方向端３２ａに形成された連結端部３５に連結されていないときを意味する、外部連結部２８が係合解除された状態にあるとき、流体密封な手法で出口管１２ａを自動的に閉じるための封止手段３６を備えている。連結端部３５が外部連結部２８と係合されるときに分配通路ＤＣが添加剤タンク１３の内部と連通するように、連結端部３５は、ここでは出口管１２ａと係合することで、封止手段３６と協働する。任意で、外部連結部２８は、組み立てを容易にするために、および、外部連結部２８の内部の構成部品の摩耗が添加剤の漏れを時に引き起こす可能性があるため、このような摩耗を低減するために、環状部２４において若干浮いてもよい（典型的には５ｍｍ以下の距離にわたって、若干の軸方向の移動の可能性があることを意味する）。
【００４４】
図３〜図５を参照すると、自己封止する外部連結部２８は、２つの相対する開口を備えた本体部または管状部２８ａを備えており、本体部または管状部２８ａは、長手方向軸Ａと平行であって、長手方向軸Ａとおそらく一致し得る軸Ｘの通路を定めている。外部連結部２８内の連結端部３５の係合位置では、フィルタ要素４と添加剤室Ｅとは重ねられた構成になっており、封止手段３６は、出口管１２ａを通じた液体添加剤の連通を許容するように配置される。次に、連結端部３５は、外部連結部２８の第１の端２８１から離れるように延び、別の言い方をすれば、出口管１２ａの開口から添加剤タンク１３の内部容積Ｖ２へと延び、封止手段３６と係合する。外部連結部２８の第２の端２８２の側方には（ここでは、内側空間９への添加剤出口管１２ａの開口に対応するメス端２８２）、少なくとも１つの流体密封な径方向の接触が、連結端部３５の側方外側面と、管状本体部２８ａ内で内部に搭載される１つまたは複数の環状ガスケットＪ１、Ｊ２との間に作り出される。
【００４５】
図５および図６の例では、ここでは、外部連結部２８の管状本体部２８ａは、上方壁ＰＳを通過し、その側面において、モミの木に似た三角形の断面の周囲フランジ２８ｂを形成する外部環状突起を有する。管状本体部２８ａは、タンク１３の一部を形成するプラスチックの端部４０へと部分的に挿入される。典型的には上方壁ＰＳに溶接されるこの端部４０は、液体添加剤タンク１３の上方壁ＰＳに対して軸方向外向きに突出する。この端部４０は、ここではモミの木の形態で、端２８１と係合するように好ましくは一定の断面の通路を定める。周囲フランジ２８ｂは、端部４０を構成する可撓性の材料を変形し、端部４０と接触している連続したフランジ２８ｂがあるのと同じ数のシールを形成する。溶接領域４０ａが、上方壁ＰＳと端部４０のリップの下面との間に定められている。この溶接領域４０ａは、軸Ａに対して垂直に延びている。
【００４６】
同じ種類の端部４０を備えた変形では、端２８１は、Ｏリングを受け入れる外部環状溝を有してもよい。この場合、端２８１は、端部４０の内側面と端２８１とにわたって分布される保持部材の係合によって、所定位置に固定され得る。例えば、端部４０の下方部に形成される、径方向に突出する相補的なスロット要素がある。
【００４７】
管状本体部２８ａの内部では、軸Ｘに沿って、スライド可能に搭載されている弁３７が、出口管１２ａを閉じるために使用されている。封止手段３６の一部である弁３７は、バネなどの弾性付勢部材３８によって、閉位置に向かって付勢されている。流体密封な封止は、例えば、環状ガスケットＪ２が弁３７の周辺に位置付けられた軸方向面Ｓ２のための当接部を形成するという事実のため、得られる。したがって、弾性付勢部材３８が抑制力（この抑制力は、フィルタ１におけるカートリッジＣＣの位置決めに依存して加えられる、または、加えられない）をもはや受けなくなるとき、弁３７の管状部Ｔ２がガスケットＪ２と径方向で接触できる。この弾性付勢部材は、例えば、第１の端２８１に形成された座部３９に圧し掛かるバネによって形成されている。連結端部３５が取り外されるとき、弁３７が、ここではバネの推進力によって、液体添加剤出口管１２ａを完全に封止する閉位置を占めるようにこの形式の当接部と接触するまで移動されることは、理解される。
【００４８】
図３および図５の非限定的な例では、封止手段３６の開状態は、添加剤タンク１３を内側空間９と連通させるために、ここでは中空である連結端部３５によって発揮される弁３７に対する推進力によって得られる。連結端部３５の挿入は、好ましくは、図１に示しているような椀状部２および蓋３の取り付け構成において、カートリッジＣＣの搭載状態に対応する。当然ながら、封止手段３６は、他の代替の形態であってもよい。そのため、封止手段３６の弁３７は、必ずしも管状本体部２８ａとの流体密封な径方向の接触ではなく、軸方向での流体密封な手法で開く通路を封止するボールまたはピストンの形態であってもよい。外部連結部２８において少なくとも２つのガスケットＪ１、Ｊ２を用いるとき、これらのガスケットＪ１、Ｊ２が所与の異なりうる温度範囲にわたって各々効果的であることが準備され得る。非限定的な例として、流体密封性は、連結端部３５によって定められる入口Ｅ１の内径Ｄに任意で少なくとも等しい軸方向距離にわたって、２つのガスケットＪ１、Ｊ２を分配することで改善され得る。
【００４９】
図３の例では、上方壁ＰＳの設計は異なっており、その結果、外部連結部２８の管状本体部２８ａを備えている（１つの部品として成形されている）。この構成であれば、添加剤室Ｅに対する連結端部３５について、位置決めの遊びの連鎖がより短い。これは、添加剤放出装置３２の第１の軸方向端３２ａの正確な位置決めを確保するために中間部品を製作するとき、公差を追加する必要性を排除する。
【００５０】
遠位フランジ６は、添加剤放出装置３２を連結するステップの間、内側空間９への挿入部３１の係合を可能にするために、添加剤室Ｅの最大直径Ｄ３（ここでは、図１〜図６の例における遠位フランジ６と少なくとも同じ広さである）より小さい、または、最大直径Ｄ３と実質的に等しいが、挿入部３１の直径より大きい（または、等しい直径）可能性のある第１の内径Ｄ１を有する中心開口６０を備える。フィルタカートリッジＣＣの組み立てを可能にするために、近位フランジ７が、第１の内径Ｄ１と同様の直径の第２の直径Ｄ２を有する中心開口７０を有することが、理解される。ハウジング（２、３）における配置を最適化するために、および、フィルタ１の全体の大きさを低減するために、以下の関係がこれらの直径について満たされ得る。
０．５≦Ｄ１／Ｄ３≦１および０．５≦Ｄ２／Ｄ３≦１
【００５１】
図４に示しているように、実際には、添加剤室Ｅの取り付け端１０が、フィルタ要素４との組み立てを容易にするために、回転対称を有することが有利である。この場合、管状本体部２８ａによって定められる通路の軸Ｘは、フィルタ要素４の長手方向軸Ａと一致している。図８は、近位フランジ７の径方向部７ｃの平面における取り付け端１０の回転対称も示している。しかしながら、通路の軸Ｘは環状部２４の中心軸に対して側方にずらされてもよく、フィルタカートリッジＣＣが蓋３の挿入部３１と係合されるとき、連結端部３５が長手方向軸Ａに対して対応するようにずらされることは、理解される。正しい角度位置は、この場合、遠位フランジ６に配置される案内手段および／または位置指示体（目印）を用いることで、容易に得ることができる。
【００５２】
図３〜図４および図８を参照すると、外側筐体１２の環状部２４は、取り付け端１０と、近位フランジ７の径方向部７ｃと平行に延びる径方向部２４ｃとを備えている。取り付け端１０は、径方向部７ｃ（この部分７ｃは環形を有する）によって定められた開口７０を通じて延びる。外部連結部２８はこの開口７０を横切ってもよい。この非限定的な例では、取り付け端１０は、径方向部２４ｃに対して軸方向に突出し、外部連結部２８の管状本体部２８ａを取り囲む（したがって、外部連結部２８は、フィルタ媒体５の内側面５ｂ、近位フランジ７、および任意の補強部材８から径方向のある距離において延びる）。
【００５３】
図３で見ることができるように、取り付け端１０は、近位フランジ７に沿って延び、フィルタ要素４への添加剤室Ｅの取り付けを可能にする。取り付け端１０は、封止リップ２４ｄまたは自由縁に隣接する丸縁を備えている。この封止リップ２４ｄは、近位フランジ７に隣接するまで内側空間９へと挿入する下方端３１ａの対応する環状の内側面との、好ましくは径方向接触である封止接触の環状領域を形成するように意図されている。代替で、丸縁または同様の封止リップは、取り付け端１０の環状面と協働するために、挿入部３１の端に形成されてもよい。
【００５４】
取り付け端１０は、環状部２４の径方向部２４ｃと結合する領域から環状に延びる環状の案内および封止する表面部２４ａ（ここでは円筒軸受）をさらに備えている。近位フランジ７は、カートリッジＣＣにおいて表面部２４ａと封止された環状の接触をしている連続環状面７ｄを、径方向部７ｃの内側縁に連結される軸方向に延びる部分において備えている。
【００５５】
同様に、遠位フランジ６は、封止部３０の対応する連続面と封止した接触をしている封止リップ６ａを有している。フランジ６および７におけるこれらの２つの流体密封の領域があれば、フィルタ要素４は、上流領域Ｚ１の環状空間２１と、図１に示すように出口ポート３ｂと連通だけしている内側空間９との間に、流体密封な手法で介在される。
【００５６】
ここで図３、図４、および図６を参照すると、環状部２４が、半球形を有し、容器２５に連結された大きな環状の縁Ｂ１と、外部連結部２８のための通路を定める小さい環状の縁Ｂ２との間で延びているのが、この例では見てとれる。ここで、外部連結部２８は、外部連結部２８が挿入されるのに通る環状部２４から区別できる。管状本体部２８ａの周囲に形成されたカラー２８ｃは、環状部２４に対する外部連結部２８の軸方向の移動を制限する。この保持のため、端２８１とタンク１３の上方壁ＰＳとの間の封止された連結が、連結端部３５の挿入または引込の間に発揮される力に対して維持される。当然ながら、取り付けの他の形態が、添加剤室Ｅに一体的に固定された外部連結部２８を維持するために用いられてもよい。
【００５７】
様々な選択肢が、添加剤室Ｅをフィルタ要素４に連結するために用いられてもよく、そのうちの１つは、
−  表面部２４ａと、近位フランジ７の連続面７ｄとの間の接触および摩擦による、ここでは流体密封な連結で、および／または、
−  フィルタ要素４の一部である１つまたは複数の当接部８ｂを超えて位置決めされるときに係合する、取り付け端１０の周囲面から径方向外向きに突出するクリップ２４ｂを用いた、スナップ留め付けで、
取り付け端１０の入れ子になった挿入に対応する。
【００５８】
図４および図６の非限定的な例では、添加剤室Ｅは、取り付け端１０の内側空間への入れ子の挿入によって、フィルタ要素４から分離できないように搭載される。クリップ２４ｂは、補強部材８の下方端８ａにおいて形成された当接部８ｂのため、取り付け端１０の引き抜きを防止する。代替で、このような当接が、近位フランジ７の少なくとも１つの環状内側リップによって形成されてもよい。
【００５９】
これらの図は、環状の表面部２４ａと封止リップ２４ｄとの間の環状部２４に配置された突出するクリップ２４ｂを示しているが、例えば、取り付け端に形成された開口と係合する近位フランジ７の突出する起伏で、保持のための他の可能性が提供されてもよい。
【００６０】
より大まかには、取り付け端１０は、追加的な高さを寸法に加えることなく添加剤室Ｅの連結を可能にするために、フィルタ媒体の下方端５ｃを超えて延び得る留め付け手段を提供することは理解される。図６では、フィルタ媒体５の下方端５ｃと添加剤室１３の上方壁ＰＳとの間の軸方向高さＨ１が小さく（例えば、１０ｍｍ未満）、典型的には、遠位フランジ６の高さＨ２以下であり得ることに気付くことになる。
【００６１】
添加剤放出装置３２の一実施形態は、ここで、図１、図９、および図１０を参照しつつ説明されることになる。
【００６２】
添加剤放出装置３２は、ここで、分配通路ＤＣの全体または一部分を封止することができる電磁弁または同様のアクチュエータ装置６２を備えている。添加剤放出装置３２は、蓋３と一体であってもよい。フィルタ１の組み立てられた状態に基づいて、装置３２が蓋３に対して長手方向軸Ａに沿う並進で固定されることによって、カートリッジＣＣの交換の間、内側空間９から全体として引き抜かれ得ることは、理解される。連結端部３５が、外部連結部２８と固定して係合することなく係合され、流体密封性は好ましくは径方向であるため（少なくとも１つの環状の封止領域によって得られる）、内側空間９から出る添加剤放出装置３２の移動は、軸方向の保持面によって邪魔されない。
【００６３】
添加剤放出装置３２は、例えば、アクチュエータ装置６２を保護するために外部スリーブＦを備える。この保護スリーブＦは、周辺容積Ｖ３を、内側空間９を通って進んでフィルタ要素４のフランジ６を横切る燃料で満たすことができる連通配管５０を備えてもよい。周辺容積Ｖ３における燃料圧力は、設計により発生される水頭損失を除いて、ベンチュリ管２２の上流で蓋３の燃料通路５２において流れる濾過された燃料の圧力と同一である。連通配管５０は、好ましくは清浄な燃料である燃料を、タンク１３の全部または一部を包囲するあらゆる周辺容積Ｖ３へと方向付けることを可能にする任意の種類の回路によって、置き換えられてもよい。連通配管５０の断面が搬送管６６の断面の少なくとも３倍超であることを絶対に確保しなければならない。
【００６４】
ここで、スリーブＦは、例えば、溶接、接着、または、流体密封の取り付けの他の従来の手段によって、封止部３０に固定的に取り付けられる。図９を参照すると、スリーブＦとの連結の環状の領域が、封止部３０の中心部３０ａを包囲している。この中心部３０ａでは、内側空間９を向く側において、電力プラグ６３と、分配通路ＤＣのための開口Ｏ３と、燃料通路５２へと開口し、圧力の均一化を可能にするために連通配管５０に延びる側方通路５２ｂを形成する配管とが位置付けられている。この中心部３０ａは、アクチュエータ部品６２のための案内および取付要素を備えてもよく、ここでは、内側空間９へと突出する保持タブ６５（保持は、典型的にはスナップ嵌合である）を形成している。
【００６５】
添加剤放出装置３２の組み立ての間、非限定的な例によれば、以下のステップが実施され得る。
−  概して環状の形を有する支持体Ｓ３においてあらかじめ組み立てられる液体添加剤のための搬送管６６の、開口Ｏ３への挿入。
−  区画６４と燃料通路５２との間で封止を確立するために、搬送管６６と接触している、例えば環状である、１つまたは複数のガスケットＪ３、Ｊ４を使用した、アクチュエータ部品６２の軸方向端（封止部３０側における端）への支持体Ｓ３の流体密封な組み立て。
−  アクチュエータ部品６２における側方にずらしたコネクタ６２ｃの電力プラグ６３への電気的連結。
−  （アクチュエータ部品６２のフランジ６２ｂに形成された）スロット６２ａでの保持タブ６５の係合による、アクチュエータ部品６２の封止部３０への取り付けを保持する。
−  搬送管６６を燃料通路５２の内側面と面一にする位置へと支持体Ｓ３を駆り立てるために、ここではバネ６７の圧縮によって、スリーブＦの一部に圧し掛かる付勢状態での弾性戻し部材の配置。
−  添加剤入口Ｅ１が分配通路ＤＣの唯一の入口通路を形成し、分配ポート３４が分配通路ＤＣの唯一の出口を形成するように、封止部３０へのスリーブＦの取り付け。
【００６６】
図１０を参照すると、ここでは螺旋バネ６７である弾性戻し部材は、スリーブＦの内部での添加剤放出装置３２の組み立てのときに、支持体Ｓ３をその最終位置へと付勢するために使用できる。弾性戻し部材は、支持体Ｓ３とアクチュエータ部品６２との間のあらゆる軸方向の遊びを調節する。アクチュエータ部品６２が区画６４において長手方向にスライドでき、軸方向の当接ではなく、径方向の接触によって内側管６９に対して係合できることは、理解される。添加剤放出装置３２の組み立てられた状態では、添加剤放出装置３２は、蓋３に固定され、添加剤タンク１３を連結解除するステップの間、蓋３と共にスライドする。
【００６７】
支持体Ｓ３がアクチュエータ部品６２に固定され、その最終位置に着座されるとき、搬送管６６は、アクチュエータ装置６２の内部から燃料通路５２へと延びる分配通路ＤＣの区分を定めるために、アクチュエータ部品６２の軸方向添加剤通路ＡＰへと十分に挿入される。電磁弁を用いるとき、搬送管６６は、簡単な調節されたスライド連結および／または少なくとも１つの環状ガスケットＪ３とのスライド組み立てによって、軸方向添加剤通路ＡＰへと封止して挿入される。
【００６８】
連通配管５０がスリーブＦに設けられるとき、スリーブＦが、連通配管５０が側方通路５２ｂを形成する配管と結合する端に特有の環状の封止領域を定める中心部３０ａに取り付けられるように、連通配管５０は配置されてもよい。図１０では、連通配管５０が、２つの相対する開口５０ａおよび５０ｂへと軸方向に開口しているのが見てとれる。
【００６９】
図１および図１０の非限定的な例では、この連通配管５０は、電磁弁または同様の機能的な構成部品などのアクチュエータ部品６２が収められる区画６４から、流体密封の手法で分離される。そのため、燃料は、電磁弁に入らない、または、電磁弁を包囲せず、例えば区画６４からタンク１３への出口を形成する分配通路ＤＣの添加剤入口Ｅ１に入る。少なくとも１つの環状ガスケットＪ５が、区画６４と分配通路ＤＣとの間に封止を確立するために、アクチュエータ部品６２に搭載されてもよい。より大まかには、ここでは、液体添加剤が、燃料通路５２へと排他的に放出されるように流体密封通路で流れることは、理解される。分配通路ＤＣの一部は、支持体Ｓ３に搭載されている搬送管６６によって形成されている。この支持体Ｓ３は、アクチュエータ装置６２と、ここでは電磁弁と、蓋３の封止部３０と間で、好ましくはこれらの要素６２、３０に対して直接的な接触で、配置され得る。
【００７０】
図１０からはっきりと見ることができるように、搬送管６６の軸は、通路の軸Ｘ（ここでは、連結端部３５の長手方向軸に対応する）に対してずれてもよい。この構成は、アクチュエータ部品６２に対して、周辺領域に連通配管５０を配置するために選択される。連結端部３５の近くのアクチュエータ部品の端は、スリーブＦの内側管６９と、任意に少なくとも１つのガスケットを使用して、封止するように係合できる。したがって、添加剤液体は、スリーブＦの内部でアクチュエータ部品６２の周りを流れることなく、添加剤入口Ｅ１から搬送管６６へと流れることができる。これは、放出装置３２の内部構成部品を保護する。添加剤が燃料通路５２より狭窄している分配通路ＤＣのみで流れるように向かわされるという事実は、ベンチュリ管２２における増加された燃料速度と関連する負圧の効果的な使用を可能にする。
【００７１】
好ましい実施形態では、燃料通路５２は、入口通路５２ａからある距離において、および、出口３ｂからある距離において、ベンチュリ管２２を形成している狭窄区域を有し、加速効果を可能にする。燃料通路５２は、例えば、上方面５３ａと、フィルタ要素４の組み立てられた状態において、管５３ｃが長手方向軸Ａと平行な方向で突出する下方面５３ｂとを有する成形プラスチック部品５３によって定められる。管５３ｃは、図１に示しているように、フィルタ要素４のフランジ６と共に、環状の蓋／フィルタ要素を定めるために使用され得る。上方面５３ａは、この場合、入口ポート３ａおよび出口ポート３ｂを提供する蓋３の外側壁３ｃによって覆われてもよい。プラグ要素５４、５５は、燃料通路５２の端で封止するように係合されて、燃料が上方壁３と接触することになるのを防止する。また、プラグ要素５４、５５は、燃料をベンチュリ管２２へと案内し、添加剤の混ぜられた燃料を出口３ｂへと案内する。
【００７２】
分配通路ＤＣの搬送管６６は、好ましくは、燃料通路５２に対して垂直に配置される。図１０に示しているように、ベンチュリ管２２と燃料出口３ｂとの間における断面の増加は、添加剤混合燃料を、燃料通路５２に入る燃料の速度に近い速度へと回復するために、任意で設けられ得る。
【００７３】
搬送管６６が、例えば、２ｍｍ以下で、好ましくは１ｍｍ未満である、比較的小さい内径を有し得ることは、理解される。搬送管６６の大きさ（長さは、典型的には少なくとも１０ｍｍで、好ましくは少なくとも２０ｍｍに等しい）は、ベンチュリ管２２によって発生される負圧を補強する。適切な場合、搬送管６６は毛細管作用を有し得る。この場合では、この種類の毛細管を介した拡散の割合に依存して、変形の実施形態では、ベンチュリ管２２を排除すること、および、例えば戻し回路について、おそらくは搬送管６６を介して分配することが可能である。
【００７４】
アクチュエータ部品６２における封止部材（図示せず）の存在は、（例えば、車両が運搬されるとき）燃料通路５２への液体添加剤の偶発的な放出を防止または制限できる。
【００７５】
ここで、添加剤室Ｅのタンク１３から分配ポート３４への添加剤の放出を制御することが、図１、図５、および図１０を参照して説明される。
【００７６】
フィルタ１の運転の間、燃料が、燃料入口ポート３ａと燃料出口ポート３ｂとの間で連続的に流れる。ベンチュリ管２２は、ここでは差圧発生手段を構成し、添加剤分配ポート３４と燃料出口ポート３ｂとの間に負圧を発生する。添加剤室Ｅが、配管５０を介して燃料出口ポート３ｂと連通しているため、周辺容積Ｖ３は、燃料出口ポート３ｂにおいて流れる燃料と同じ圧力において、燃料で満たされる。ここでは移動可能で流体密封な壁である添加剤タンク１３の壁Ｐは、添加剤タンク１３における添加剤と周辺容積Ｖ３における燃料との間の同一の圧力を維持する。
【００７７】
そのため、添加剤タンク１３における圧力は分配ポート３４における圧力より大きく、これは、添加剤を、タンク１３から分配ポート３４へと移動させてから、ベンチュリ管２２を通って流れる燃料に拡散させ、したがって循環回路Ｃ１へと拡散させる。アクチュエータ装置６２は、添加剤の流れを防止または低減させることができる。例えば、ソレノイド弁が、エンジンがオフのとき、添加剤の放出を停止するために用いられる。それ自体知られている種類の電磁弁が、分配通路ＤＣを封止するのに適した封止部材と共に用いられてもよい。例えば、長手方向軸Ａと平行な軸方向で移動可能である従来の封止部材（図示せず）が、用いられる。閉位置における封止部材は、分配通路ＤＣの２つの区域の間の結合領域に通常位置付けられる座部に圧し掛かる。移動は、既知の手法で（典型的には、添加剤放出装置３２によって受け入れられる電気命令によって）、電磁石によって制御されてもよい。最大寸法が約１０ｃｍである電磁弁が、この種類の用途に適し得る。
【００７８】
この実施形態では、アクチュエータ装置６２は、添加剤分配通路ＤＣの全体または一部の封止のための電気機械的手段として示されている。しかしながら、このような手段の使用は任意であり、本発明は、当然ながら、分配通路ＤＣを封止することなく、または、熱動弁、「傘」弁、逆止弁、または油圧制御弁など、添加剤分配通路を封止するための他の手段を用いることで、実施できる。
【００７９】
また、非限定的な例では、添加剤は、燃料循環回路Ｃ１への噴射の前に加熱されてもよい。好ましい選択肢によれば、タンク１３を出る添加剤は、分配通路ＤＣに入る前に加熱される。したがって、加熱面部材が、第１の軸方向端３２ａまたはその近くに配置され得る。添加剤は、例えば、３０℃から６０℃の間の温度に加熱される。添加剤を加熱することに関する利点のうちの１つは、加熱が、分配通路ＤＣを通じて添加剤の分布を、実質的に一定の温度で可能にし、したがって一定の速度で可能にすることである。分配通路ＤＣが毛細管（非常に小さい直径）によって形成されるとき、添加剤の粘度における変化を排除することで、噴射される添加剤の量の正確な制御を可能にする。このような加熱は、局所的な加熱がアクチュエータ装置６２によって管理されないため、粘度変化を補償するのに特に有用である。
【００８０】
熱交換を最適化するために（熱損失および加熱に必要とされるエネルギーを最小とするために）、タンク１３に収められる添加剤よりも、分配通路ＤＣの入口の近くの添加剤を加熱することが好ましい。
【００８１】
一実施形態では、分配ヘッド３２は、蓋３において、または、ハウジングの同様の部分において外部にアクセス可能であるコネクタが設けられた、例えば電気式といった加熱装置（図示せず）を有し得る。例えば分配ヘッド３２の側壁に埋め込まれるといった接続ワイヤが、コネクタと加熱装置の加熱表面部材との間の接続を確立するために用いられてもよい。加熱表面部材は、基板または同様の電気回路部品に設けられ得る。この場合、加熱表面は、典型的には、１つまたは複数のＰＴＣ（正の温度係数）加熱要素によって形成される。
【００８２】
代替で、加熱は、後にフィルタ媒体５を通過し、第１の軸方向端３２ａを横断および／または包囲する通路に入ることができる燃料を加熱することで、第１の軸方向端３２ａにおいて生じてもよい。より大まかには、添加剤が、分配ポート３４の上流で、好ましくは連結端部３５と分配通路ＤＣの入口との間で、加熱されてもよいことは、理解される。
【００８３】
代替の実施形態では、周辺容積Ｖ３が、上流領域Ｚ１からの燃料で満たされてもよく、または、添加剤タンク１３が、別の流体の圧力および／もしくは圧力発生器からの圧力にされてもよい。
【００８４】
本発明の一つの利点は、添加剤タンク１３の出口との接触を排除し、嵩を最小限とする、添加剤室Ｅとの連結を作り出すために、蓋３の挿入部３１をフィルタ要素４に通して組み立てる方法にある。
【００８５】
別の利点は、（液体添加剤が回路Ｃ１へと徐々に放出されるにつれて）上方壁ＰＳに邪魔されずに近付くために、初期に椀状の形とされた壁Ｐの能力のため、十分に収縮でき、それ自体で閉じることができる可撓性タンク１３の使用である。当然ながら、タンク１３は、丸くされた底を持つ単純な小袋と異なる形状を有してもよく、図の例は、例示の目的だけで提供されている。
【００８６】
本発明の装置は、燃料に含まれる任意の種類の添加剤を搬送することを可能にする。これらの添加剤は、２つの区分、すなわち、燃料添加触媒（ＦＢＣ：Ｆｕｅｌ  Ｂｏｒｎｅ  Ｃａｔａｌｙｓｔｓ）と通常称される、微粒子フィルタ（ＰＥ）の再生を支援するための触媒機能を有するものと、触媒機能以外の機能を有するものとに分類できる。
【００８７】
添加剤は、液体または固体の形態であり得る。
【００８８】
ＦＢＣ添加剤は、燃料に溶解可能または分散可能な、塩、有機金属錯体、または、これらの塩もしくは錯体の混合物の形態であり得る。ＦＢＣ添加剤は、コロイド分散の形態であってもよい。この分散のコロイドは、周期表の群ＩＩＡ、ＩＶＡ、ＶＩＩＡ、ＶＩＩＩ、ＩＢ、ＩＩＩＢ、およびＩＶＢから選択される希土類元素および／または金属の化合物に基づかれ得る。
【００８９】
より具体的には、コロイドは、セリウムに基づく化合物および／または鉄に基づく化合物であり得る。
【００９０】
先に参照した周期表は、非特許文献１において発行されているものである。
【００９１】
洗浄組成物を含むコロイド分散を用いることも可能である。
【００９２】
コロイド分散の例については、特許文献２、特許文献３、特許文献４、および特許文献５に記載されているものが挙げられ、特許文献４および特許文献５に記載されている分散は、それぞれセリウム化合物および鉄化合物に基づき、これらの分散は両親媒性物質も含んでいる。
【００９３】
特許文献６および特許文献７は、同じく用いられ得る結晶の形態での鉄の分散を開示している。
【００９４】
鉄化合物、両親媒性物質、および、第４級アンモニウム塩を含む洗浄組成物に基づいたコロイド分散を記載している特許文献８、特許文献９、および特許文献１０にも言及できる。
【００９５】
ＦＢＣではなく、触媒機能以外の機能を有する他の種類の既知の添加物が、燃料回路へと噴射されてもよい。これらの添加物は、エンジンにおける燃料分布、および／または、エンジン性能、および／または、運転の間のエンジン安定性を改善する。
【００９６】
例は、消泡剤、除氷添加剤、燃料が不透明になるまたは凍結する温度を下げるポリマ添加剤、および、流れ向上添加剤である。
【００９７】
腐食を抑制する添加剤が用いられてもよい。
【００９８】
セタンを高める添加剤、オクタンを高める添加剤、煙を抑制する添加剤、摩擦調整（ＦＭ）添加剤、または、「超高圧」添加剤など、エンジン性能を向上するための添加剤が用いられてもよい。
【００９９】
噴射器における堆積物を低減するように意図された洗浄添加物が用いられてもよい。
【０１００】
潤滑性改良添加剤が、燃料潤滑性が悪いとき、特に高圧ポンプおよび噴射器において、摩耗または固着を防止するために用いられてもよい。
【０１０１】
運転中のエンジン安定性を向上するための添加剤が検討されてもよく、酸化防止剤、安定剤、特定の金属の触媒効果を中和するための金属不活性在、形成された粒子を分散し、比較的大きい粒子の凝集を防止するための分散剤が、用いられてもよい。
【０１０２】
特定の一実施形態によれば、添加剤は、洗浄添加剤と、潤滑添加剤と、おそらくは腐食抑制添加剤との組み合わせである。
【０１０３】
前述したような洗浄の種類の燃料性能添加剤（特許文献８）と関連付けられるＦＢＣの種類の添加剤が、微粒子フィルタが搭載された車両の場合、特に有利である。
【０１０４】
同じ場合、特に、燃料が変わりやすい品質および／または悪い品質のものである地域で車両が販売されるとき、複数の燃料性能添加剤をＦＢＣの種類の添加剤と関連付けることは有利である。
【０１０５】
車両が微粒子フィルタを搭載していない場合では、１つまたは複数の洗浄剤を潤滑剤および腐食抑制剤と組み合わせるなど、様々な種類の添加剤の組み合わせが検討できる。
【０１０６】
本発明が、請求されているような本発明の範囲から逸脱することなく、実施形態に多くの他の具体的な形態を取らせることができることは、当業者には当然ながら明白である。具体的には、記載は流体密封な封止領域の実施のためのいくつかの例に言及しているが、当業者は、環状シールを提供する任意の他の実施形態が、フィルタ要素４と蓋３との間の封止領域に適していることを理解する（同じことは、フィルタ要素４と添加剤室Ｅとの間の封止領域についても真実である）。
【０１０７】
また、差圧は、負圧の現象によって、例えばベンチュリ管２２によって、必ずしも発生されず（ダイアフラムの使用はベンチュリ管２２の代替である）、添加剤タンク１３の少なくとも１つの壁Ｐの外側面で発揮される正圧の生成からも生じ得ることは、理解される。差圧発生手段がフィルタ要素４であってもよく、この場合、封止部３０がベンチュリ管なしであってもよく、挿入部３１に形成された圧力均一化配管５０が排除できることは、同じく理解される。
【符号の説明】
【０１０８】
１  フィルタ
２  ハウジング、椀状部
２’  取り外し可能部材
２ａ  基部
２ｂ  側壁
２ｃ  側方延在部
３  ハウジング、蓋
３’  筐体部材
３ａ  燃料入口ポート
３ｂ  燃料出口ポート
３ｃ  外側壁
４  フィルタ要素
５  フィルタ媒体
５ａ  外側面
５ｂ  内側面
５ｃ  下方軸方向端
６  遠位フランジ、第１のフランジ、上方フランジ
６ａ  封止リップ
７  近位フランジ、第２のフランジ、下方フランジ
７ｃ  径方向部
７ｄ  連続環状面
８  補強部材
８ｂ  当接部
９  内側空間
１０  取り付け端
１１  バネ
１２  外側筐体
１２ａ  液体添加剤出口管
１３  添加剤タンク、添加剤室
１５  燃料タンク
１６  コモンレール
１７  高圧ポンプ
１８ａ  第１の配管、供給配管
１８ｂ  第２の配管、戻り配管
１９  噴射器
２０  穴
２０ａ  ナット
２２  ベンチュリ管
２４  環状部
２４ａ  案内および／または取り付け面、環状の案内および封止する表面部
２４ｂ  クリップ
２４ｃ  径方向部
２４ｄ  封止リップ
２５  容器
２８  外部連結部
２８ａ  本体部、管状部
２８ｂ  周囲フランジ
３０  封止部
３０ａ  中心部
３１  挿入部
３１ａ  下方端
３１ｂ  上方端
３２  添加剤放出装置、分配ヘッド
３２ａ  第１の軸方向端
３２ｂ  第２の軸方向端
３４  分配ポート
３６  封止手段
３７  弁
３８  弾性付勢部材
３９  座部
４０  端部
４０ａ  溶接領域
５０  連通配管
５２  燃料通路
２ａ  入口通路５
５２ｂ  側方通路
５３  成形プラスチック部品
５３ａ  上方面
５３ｂ  下方面
５３ｃ  管
５４、５５  プラグ要素
６０  中心開口
６２  電磁弁、アクチュエータ装置、アクチュエータ部品
６２ｂ  フランジ
６２ｃ  コネクタ
６３  電力プラグ
６４  区画
６５  保持タブ
６６  搬送管
６７  螺旋バネ
６９  内側管
７０  開口
８０  底開口
１００  ネジ山
１０１  ネジ山
１０２  環状ガスケット
２８１  第１の端
２８２  第２の端、メス端
Ａ  長手方向軸
ＡＰ  軸方向添加剤通路
Ｂ１  大きな環状の縁
Ｂ２  小さい環状の縁
ＢＰ  排水栓
Ｃ１  燃料循環回路
ＣＣ  フィルタカートリッジ
Ｄ  内径
Ｄ１  第１の内径
Ｄ２  第２の直径
ＤＣ  分配通路
Ｅ  添加剤室
Ｅ１  添加剤入口
Ｆ  スリーブ
Ｊ０、Ｊ１、Ｊ２、Ｊ３、Ｊ４、Ｊ５  環状ガスケット
Ｏ１  燃料ポート
Ｏ３  開口
Ｐ  壁
ＰＳ  上方壁
Ｓ２  軸方向面
Ｓ３  支持体
Ｔ２  管状部
Ｖ  ネジ
Ｖ１  内部容積
Ｖ２  内部容積
Ｖ３  周辺容積
Ｘ  軸
Ｚ１  上流領域
Ｚ２  下流領域
Ｚ２１  第１のサブ領域
Ｚ２２  第２のサブ領域
【図１】
0006568074.tif 000002
【図２】
0006568074.tif 000003
【図３】
0006568074.tif 000004
【図４】
0006568074.tif 000005
【図５】
0006568074.tif 000006
【図６】
0006568074.tif 000007
【図７】
0006568074.tif 000008
【図８】
0006568074.tif 000009
【図９】
0006568074.tif 000010
【図１０】
0006568074.tif 000011
【図１１Ａ】
0006568074.tif 000012
【図１１Ｂ】
0006568074.tif 000013